(57)【要約】      （修正有）【課題】全体のヘアースタイルやヘアーデザインを損なうことなく、面ファスナーで貼り付けるみの毛を使用してヘアーカットの練習を何度も反復できるマネキンヘッドを提供する。【解決手段】マネキンヘッド１の丸みのある頭頂部２に毛髪３が植毛され、その頭頂部２の周囲を囲繞する前頭部４、左右側頭部５Ｌおよび後頭部６に、みの毛に設けられた面ファスナーのフック面シート（又はループ面シート）を貼り付けるためのループ面シートＳ１（又はフック面シート）が被着されている。【選択図】図１
0003141693.tif 000002
【実用新案登録請求の範囲】
【請求項１】
丸みのある頭頂部に毛髪が植毛され、その頭頂部の周囲を囲繞する前頭部、左右側頭部および後頭部に、みの毛に設けられた面ファスナーのフック面シート又はループ面シートを貼り付けるためのループ面シート又はフック面シートが被着されていることを特徴とするマネキンヘッド。
【請求項２】
頭頂部に植毛された頭髪の長さが、首基ないし肩の位置まで達する長さに選定されている請求項１記載のマネキンヘッド。
【請求項３】
ループ面シート又はフック面シートが被着された前頭部と、毛髪が植毛された頭頂部との間の境界が、頭頂部側から見てＶ字状に後退した形状を成している請求項１又は２記載のマネキンヘッド。
【考案の詳細な説明】
【技術分野】
【０００１】
本考案は、人間の頭部を模して作られたマネキンヘッド（人頭模型）に係り、特に、ヘアーカットの練習用として好適なマネキンヘッドに関する。
【背景技術】
【０００２】
ヘアーカットの技術を習得するための練習に使用される従来一般のマネキンヘッドは、頭頂部、前頭部、側頭部、こめかみ部および後頭部等の頭髪ゾーン全体にわたって人毛や人工毛等で成る毛髪が植毛された高価なものであるが、カットした毛髪は復元不能であるため、ヘアーカットの練習を反復して行うことができず、僅か一度使用しただけで廃棄処分されることもあり、非常に不経済であった。
【０００３】
このような事情に鑑み、本願出願人は、頭頂部および側頭部と、側頭部から下方に延びるこめかみ部とを各々毛髪のない無毛セクションとして、それら各セクションに面ファスナーのループ面シートを被着させたマネキンヘッドと、そのマネキンヘッドの無毛セクションに被着されたループ面シートに貼り付けるフック面シートが設けられたみの毛（付け毛）とから成る理美容教習具を提案した（特許文献１参照）。
【０００４】
当該教習具は、マネキンヘッドの無毛セクションである頭頂部、側頭部、こめかみ部に面ファスナーで貼り付けたみの毛を頭髪に見立ててカットし、そのカットしたみの毛を新しいものと交換することにより、一つのマネキンヘッドを繰り返し何度もヘアーカットの練習に使用することができるようにしたものであるが、みの毛を面ファスナーによって丸みのある頭頂部の表面に沿わせるように均整に貼り付けることが難しく、みの毛の一部が頭頂部の表面から浮いたり離反するなどして、みの毛で成る頭頂部の毛髪の生え方が不自然な状態となり、ヘアーカットの練習に支障を来たすことがあった。特に、みの毛に設けたフック面シートが大きい場合は、該フック面シートを丸みのある頭頂部の表面に沿って被着されたループ面シートに対して全体的に密着させるように均整に貼り付けることができないため、そのフック面シートで成る頭頂部の頭皮が歪んだり波打っているような状態となる。
【０００５】
このように、マネキンヘッドの頭頂部の毛髪の生え方が不自然で、その頭皮も歪んだり波打った状態になっていると、ヘアーカットの練習に支障を来たすし、頭頂部の毛髪は、ヘアースタイルのベースとなるものであるから、その毛髪の生え方などが不自然であると、全体のヘアースタイル、ヘアーデザインが損なわれて、カット技術の良否を的確に評価・判定することが困難となり、ヘアーカットの練習の成果を確かめることができないという問題がある。
【特許文献１】実用新案登録第３０８１２２２号公報
【考案の開示】
【考案が解決しようとする課題】
【０００６】
本考案は、面ファスナーで貼り付けるみの毛を使用して、ヘアーカットの練習を繰り返し何度も行うことができるようにするだけでなく、みの毛を使用しても、ヘアーカットの練習に支障を来たしたり、全体のヘアースタイルやヘアーデザインを損なうおそれがなく、カット技術の良否を的確に評価・判定することができるマネキンヘッドを提供することを技術的課題としている。
【課題を解決するための手段】
【０００７】
上記課題を解決するために、本考案のマネキンヘッドは、丸みのある頭頂部に毛髪が植毛され、その頭頂部の周囲を囲繞する前頭部、左右側頭部及び後頭部に、みの毛に設けられた面ファスナーのフック面シート又はループ面シートを貼り付けるためのループ面シート又はフック面シートが被着されていることを特徴とする。
【考案の効果】
【０００８】
本考案のマネキンヘッドは、ヘアースタイルのベースとなる頭頂部の毛髪が、植毛で成るから、面ファスナーで貼り付けるみの毛で成る毛髪と違って、生え方が自然であるうえ、頭頂部の表面（頭皮）が歪んだり波打った状態となることもない。また、頭頂部の周囲を囲繞する前頭部、左右側頭部及び後頭部は、頭頂部のような丸みはなく、その表面が比較的緩やかな曲面になっているから、みの毛を面ファスナーで均整に貼り付けることができる。したがって、みの毛を使用することによって、ヘアーカットの練習に支障を来たしたり、全体のヘアースタイルやヘアーデザインを損なうおそれが少ない。
【０００９】
また、植毛で成る頭頂部の毛髪は、一度カットすると復元不能であるが、ヘアーカットの基本的な手順は、最初に、ヘアースタイルに応じてそのベースとなる頭頂部の毛髪をカットし、そのカットの形や長さ、手法に合わせて、前頭部（フロント）から側頭部（サイド）にかけてのラインをカットし、次に側頭部（サイド）から後頭部（バック）にかけてのラインをカットし、最後に襟足と首周りをカットするのが一般的であるから、例えば、カット技術を教授する指導者が、植毛で成る頭頂部の毛髪をカットしてヘアースタイルのベースを作り、そのベースを手本として、カット技術を習得する練習生が、みの毛で成る毛髪を使用して前頭部から側頭部にかけてのラインや側頭部から後頭部にかけてのラインをカットする練習を反復して行うことができる。
【考案を実施するための最良の形態】
【００１０】
本考案の最良の実施形態は、プラスチックで成形されたマネキンヘッドの丸みのある頭頂部に人毛もしくは人工毛で成る毛髪が植毛され、その頭頂部の周囲を囲繞する前頭部、左右側頭部および後頭部に、人毛もしくは人工毛で成るみの毛に設けられた面ファスナーのフック面シートを貼り付けるためのループ面シートが接着剤で被着されている。なお、頭頂部に植毛された毛髪の長さは、マネキンヘッドの首基ないし肩の位置まで達する長さに選定されている。また、ループ面シートが被着された前頭部と、毛髪が植毛された頭頂部との間の境界が、頭頂部側から見てＶ字状に後退した形状を成している。
【実施例】
【００１１】
図１は本考案に係るマネキンヘッドの一例を示す図、図２はマネキンヘッドに面ファスナーのループ面シートが被着された状態を示す図であって、同図（ａ）、（ｂ）、（ｃ）は夫々マネキンヘッドの側頭部側、後頭部側、頭頂部側から見た状態を示している。また、図３は面ファスナーのフック面シートが設けられたみの毛の一例を示す図である。
【００１２】
本例のマネキンヘッド１は、その本体がプラスチックで成形され、丸みのある頭頂部２に人毛もしくは人工毛で成る黒髪、茶髪又は金髪等の毛髪３が図１（ａ）の如く植毛されており、その毛髪３は、これを図１（ｂ）の如く垂らしたときに首基もしくは肩の位置まで達する長さに選定されている。
【００１３】
そして、毛髪３が植毛された頭頂部２の周囲を囲繞する前頭部４、左右側頭部５Ｌ、５Ｒおよび後頭部６と、側頭部５Ｌ、５Ｒから下方へ延びるこめかみ部７に、面ファスナーのループ面シートＳ１が被着されている。また、ループ面シートＳ１が被着された前頭部４と、毛髪３が植毛された頭頂部２との間の境界が、図２（ｃ）の如く、マネキンヘッド１の頭頂部２側から見てＶ字状に後退した形状を成しており、そのＶ字状に後退した箇所までループ面シートＳ１が被着されている。
【００１４】
図３に示すみの毛８は、約２０〜３５ｃｍ程度の長さに切り揃えられた人毛もしくは人工毛で成る黒髪、茶髪又は金髪の毛髪９が、例えば縦２０ｃｍ×横３０ｃｍの大サイズに形成された面ファスナーのフック面シートＳ２の裏面に密生するように植設されており、その大サイズのフック面シートＳ２をマネキンヘッド１の前頭部４、側頭部５Ｌ、５Ｒ、後頭部６等の形状および大きさに合わせてカットし、そのカットしたものをマネキンヘッド１の頭部に被着されたループ面シートＳ１に貼り付けるようになっている。
【００１５】
しかして、マネキンヘッド１は、その前頭部４、側頭部５Ｌ、５Ｒ、後頭部６、こめかみ部７に被着されたループ面シートＳ１に、頭頂部２に植毛された毛髪３と同色の毛髪９を用いたみの毛８のフック面シートＳ２を貼り付けて、カット技術を教授する指導者が、植毛で成る頭頂部２の毛髪３をカットしてヘアースタイルのベースを作り、そのベースを手本として、カット技術を習得しようとする練習生が、みの毛８の毛髪９で成る前頭部４から側頭部５Ｌ、５Ｒにかけてのラインと、側頭部５Ｌ、５Ｒから後頭部６にかけてのラインをカットし、最後に襟足と首周りをカットする練習を、みの毛８を付け替えることによって何度も繰り返し行うことができる。
【００１６】
また、本例のマネキンヘッド１は、図２（ｃ）に示すように、ループ面シートＳ１が被着された前頭部４と、毛髪３が植毛された頭頂部２との間の境界が、頭頂部２側から見てＶ字状に後退した形状を成しているので、例えばレイヤーカットのように、頭髪を前頭部４から頭頂部２にかけての髪と、側頭部５Ｌ、５Ｒから後頭部６にかけての髪との２ブロックに分けて、各ブロックの長く伸びた髪を短くカットする練習も繰り返し行うことができるという利点がある。すなわち、前頭部４と頭頂部２との間の境界が、頭頂部２側から見てＶ字状に後退していれば、みの毛８の毛髪９を使って前頭部４から頭頂部２にかけての前髪をカットする練習を何度も反復して行うことができる。
【００１７】
なお、本例のマネキンヘッド１は、前頭部４、左右側頭部５Ｌ、５Ｒおよび後頭部６に面ファスナーのループ面シートＳ１が被着されているが、そのループ面シートＳ１をフック面シートに代えて、みの毛８のフック面シートＳ２をループ面シートに代えることもできる。
【産業上の利用可能性】
【００１８】
本考案は、ヘアーカット練習用マネキンヘッドの有用性向上に資するものである。
【図面の簡単な説明】
【００１９】
【図１】本考案に係るマネキンヘッドの一例を示す図
【図２】マネキンヘッドに面ファスナーのループ面シートが被着された状態を示す図
【図３】みの毛の一例を示す図
【符号の説明】
【００２０】
１…マネキンヘッド
２…頭頂部
３…毛髪  
４…前頭部
５Ｌ…側頭部
５Ｒ…側頭部
６…後頭部
８…みの毛
Ｓ１…面ファスナーのループ面シート
Ｓ２…面ファスナーのフック面シート
【図１】
0003141693.tif 000003
【図２】
0003141693.tif 000004
【図３】
0003141693.tif 000005